(57)【特許請求の範囲】
【請求項１】
ローターケースと該ローターケースに固定されたマグネットとを有するローター部と、
該ローター部のマグネットに対向して配置された複数のステーターコイルを有するステーター部と、
ローター部と一体となって回転されるモーター軸と、
鉄系の焼結材料によって形成されると共に圧入によってモーター軸に固定されるヨークと、
樹脂材料によって形成されるディスクテーブルとを備え、
上記ヨークが上記ディスクテーブルのセンターリング突部の軸方向における全体に圧入され、上記ディスクテーブルがヨークに外嵌状に固定され、
上記ヨークに周方向に延在する第１のケース固定部と下端部を上記ディスクテーブル側に突出させてなる第２のケース固定部とを一体に設け、上記第１のケース固定部及び上記第２のケース固定部にローターケースを固定した
ことを特徴とするモーターユニット。
【請求項２】
樹脂材料によって形成されると共にディスク状記録媒体が装着されて回転されるディスクテーブルと、該ディスクテーブルとともにディスク状記録媒体を挟持してチャッキングするチャッキングプーリーと、チャッキングされたディスク状記録媒体の半径方向へ移動し該ディスク状記録媒体に対してレーザー光を照射する光学ピックアップと、ディスクテーブルを回転させる駆動モーターとを備えたディスクドライブ装置であって、
該駆動モータには、マグネットが固定されたローターケースを有するローター部と、該ローター部のマグネットに対向して配置された複数のステーターコイルを有するステーター部と、ローター部と一体となって回転されるモーター軸とが設けられ、
鉄系の焼結材料によって形成されたヨークをモーター軸に圧入によって固定し、
上記ヨークが上記ディスクテーブルのセンターリング突部の軸方向における全体に圧入され、上記ディスクテーブルがヨークに外嵌状に固定され、
上記ヨークに周方向に延在する第１のケース固定部と下端部を上記ディスクテーブル側に突出させてなる第２のケース固定部とを一体に設け、上記第１のケース固定部及び上記第２のケース固定部にローターケースを固定した
ことを特徴とするディスクドライブ装置。
【発明の詳細な説明】
【０００１】
【発明の属する技術分野】
本発明はモーターユニット及びディスクドライブ装置についての技術分野に関する。詳しくは、駆動モーターと該駆動モーターによって回転されるディスクテーブルとを有するモーターユニット及び該モーターユニットを備えたディスクドライブ装置についての技術分野に関する。
【０００２】
【従来の技術】
ディスク状記録媒体に対して情報信号の記録や再生を行うディスクドライブ装置があり、このようなディスクドライブ装置には、駆動モーターと該駆動モーターによって回転されるディスクテーブルとを有するモーターユニットを備えるものがある。
【０００３】
従来のディスクドライブ装置におけるモーターユニットの一例を図１１に示す。
【０００４】
駆動モーターの図示しないステーター部にはモーター軸ａが回転自在に支持され、該モーター軸ａの軸方向における略中央部にローターケースｂが圧入によって固定されている。ローターケースｂは板状の金属材料が加工されて形成され、略円板状を為す基部ｃと該基部ｃの外周縁から垂設されたマグネット取付部ｄと基部ｃの中心部から上方へ突出された円筒状を為す被固定部ｅとが一体に形成されて成る。マグネット取付部ｄの内面には、ステーター部のステーターコイルに対向して位置されるマグネットｆが取り付けられている。
【０００５】
ローターケースｂとマグネットｆを有するローター部は、ローターケースｂの被固定部ｅにモーター軸ａが圧入されることによって該モーター軸ａに固定されている。
【０００６】
ディスクテーブルｇはモーター軸ａの上端側に固定されている。ディスクテーブルｇは、中央部に設けられディスク状記録媒体ｘの中心孔に挿通されるセンターリング突部ｈと該センターリング突部ｈの下端部周面から張り出されディスク状記録媒体ｘが載置されるテーブル部ｉとが樹脂材料によって一体に形成されて成る。
【０００７】
センターリング突部ｈの中心部には、上方に開口されたヨーク配置凹部ｊが形成されている。センターリング突部ｈの中心部には、下方へ突出された補強用突部ｋが一体に設けられている。
【０００８】
ディスクテーブルｇには、ヨーク配置凹部ｊの底面と補強用突部ｋの下面との間を貫通する圧入孔ｌが形成されている。
【０００９】
ディスクテーブルｇは、圧入孔ｋにモーター軸ａが圧入されることによって該モーター軸ａに固定されている。
【００１０】
ディスクテーブルｇのヨーク配置凹部ｊにはヨークｍが配置され、該ヨークｍはディスクテーブルｇの圧入孔ｋから上方へ突出されたモーター軸ａに圧入によって固定されている。
【００１１】
【発明が解決しようとする課題】
ところで、ディスクドライブ装置にあっては、モーター軸とディスクテーブルとの間の十分な締結力（圧入力）が確保されないと、ディスク状記録媒体に対する情報信号の記録時又は再生時に共振が生じて光学ピックアップのフォーカスエラーが生じたり、たわみ加重が大きくなりディスクテーブルに装着されたディスク状記録媒体に大きな面ぶれが発生してディスクドライブ装置の適正な動作を確保できないおそれがある。
【００１２】
上記した従来のディスクドライブ装置にあっては、ディスクテーブルｇにヨーク配置凹部ｊが形成されている分、モーター軸ａが圧入される部分の面積が小さくなることから、ディスクテーブルｇとモーター軸ａとの間の締結力を増強するために、中心部に下方へ突出する補強用突部ｋを設けてモーター軸ａが圧入される面積を大きくしている。
【００１３】
ところが、従来のディスクドライブ装置にあっては、補強用突部ｋを設ける分のモーター軸ａの軸方向におけるスペースが必要となり、その分、モーターユニットが大型となってしまうという問題がある。
【００１４】
また、ディスクテーブルｇに補強突部ｋを設けて締結力の増強を図っているものの、ディスクテーブルｇが樹脂材料によって形成されているため、特に、近年のディスク状記録媒体ｘの回転速度の高速化が進む中では、この高速化に耐え得るほどの十分な締結力を確保しているとは言えない。
【００１５】
さらに、ディスクテーブルｇのテーブル部ｉにディスク状記録媒体ｘが装着された状態においては、ディスクテーブルｇがディスク状記録媒体ｘから荷重を受けるが、図１１に示すディスク状記録媒体ｘの荷重点（作用点）Ｐの支点Ｑからの距離Ｌ１が長いため、生じるモーメントが大きくモーター軸ａがディスク状記録媒体ｘによるたわみ荷重の影響を受け易い。
【００１６】
そこで、本発明モーターユニット及びディスクドライブ装置は、上記した問題点を克服し、モーターユニット又はディスクドライブ装置の小型化及びモータ軸についての締結力（圧入力）の確保による動作の信頼性の向上を図ることを課題とする。
【００１７】
【課題を解決するための手段】
本発明モーターユニットは、上記した課題を解決するために、ローターケースと該ローターケースに固定されたマグネットとを有するローター部と、該ローター部のマグネットに対向して配置された複数のステーターコイルを有するステーター部と、ローター部と一体となって回転されるモーター軸と、鉄系の焼結材料によって形成されると共に圧入によってモーター軸に固定されるヨークと、樹脂材料によって形成されるディスクテーブルとを備え、上記ヨークが上記ディスクテーブルのセンターリング突部の軸方向における全体に圧入され、上記ディスクテーブルがヨークに外嵌状に固定され、上記ヨークに周方向に延在する第１のケース固定部と下端部を上記ディスクテーブル側に突出させてなる第２のケース固定部とを一体に設け、上記第１のケース固定部及び上記第２のケース固定部にローターケースを固定するようにしたものである。
【００１８】
また、本発明ディスクドライブ装置は、樹脂材料によって形成されると共にディスク状記録媒体が装着されて回転されるディスクテーブルと、該ディスクテーブルとともにディスク状記録媒体を挟持してチャッキングするチャッキングプーリーと、チャッキングされたディスク状記録媒体の半径方向へ移動し該ディスク状記録媒体に対してレーザー光を照射する光学ピックアップと、ディスクテーブルを回転させる駆動モーターとを備えたディスクドライブ装置であって、該駆動モータには、マグネットが固定されたローターケースを有するローター部と、該ローター部のマグネットに対向して配置された複数のステーターコイルを有するステーター部と、ローター部と一体となって回転されるモーター軸とが設けられ、鉄系の焼結材料によって形成されたヨークをモーター軸に圧入によって固定し、上記ヨークが上記ディスクテーブルのセンターリング突部の軸方向における全体に圧入され、上記ディスクテーブルがヨークに外嵌状に固定され、上記ヨークに周方向に延在する第１のケース固定部と下端部を上記ディスクテーブル側に突出させてなる第２のケース固定部とを一体に設け、上記第１のケース固定部及び上記第２のケース固定部にローターケースを固定するようにしたものである。
【００１９】
従って、本発明モーターユニット及びディスクドライブ装置にあっては、モーター軸が圧入された鉄系の焼結材料から成るヨークを介してディスクテーブルがモーター軸に締結される。
【００２０】
【発明の実施の形態】
以下に、本発明モーターユニット及びディスクドライブ装置の実施の形態を添付図面を参照して説明する。
【００２１】
ディスクドライブ装置１は、外筐２内に所要の各部材及び各機構が配置されて成り、外筐２はカバー体３と前面パネル４とから成る（図１参照）。カバー体３は天面部３ａと該天面部３ａの両側縁からそれぞれ垂設された側面部３ｂ、３ｂが一体に形成されて成る。
【００２２】
前面パネル４には横長の開口４ａが形成され、前面パネル４に開口４ａを開閉する扉体５がその上端部を支点として回動自在に支持されている（図１参照）。前面パネル４には、左右に離間して再生用釦、記録用釦、停止用釦、トレー動作用釦等の各種の操作釦６、６、・・・が配置されている。
【００２３】
外筐２内にはメカフレーム７が配置されている（図２参照）。メカフレーム７は各種の機構が配置される機構配置面部７ａと該機構配置面部７ａの両側縁から立設された側部７ｂ、７ｂとを有し、機構配置面部７ａの前端部にカム板や各種のギヤを有するローディング機構８が配置されている。
【００２４】
メカフレーム７にはディスクトレー９が前後方向へ移動自在に支持されている（図２及び図３参照）。ディスクトレー９には縦長の挿通孔９ａとディスク状記録媒体１００が載置されるディスク載置凹部９ｂとが形成されている。
【００２５】
メカフレーム７には側部７ｂ、７ｂ間に架け渡されるようにしてプーリー支持部材１０が取り付けられている（図３参照）。プーリー支持部材１０の中央部には、図示しないマグネットを有するチャッキングプーリー１１が回転自在かつ軸方向に移動自在に支持されている。
【００２６】
メカフレーム７の機構配置面部７ａには、ベース部材１２がその後端部を支点として回動自在に支持されており、該ベース部材１２上に図示しない複数のダンパー部材を介してベースシャーシ１３が取り付けられている（図２参照）。
【００２７】
ベースシャーシ１３はピックアップ支持部１４とモーター取付部１５とが一体に形成されて成り、ピックアップ支持部１４には大きな配置孔１４ａが形成されている（図４参照）。ベースシャーシ１３の周縁には取付突部１３ａ、１３ａ、１３ａが設けられており、該取付突部１３ａ、１３ａ、１３ａがダンパー部材を介してベース部材１２に取り付けられている。
【００２８】
ピックアップ支持部１４には、後述するディスクテーブルに離接する方向、即ち、ディスクテーブルに装着されるディスク状記録媒体１００の半径方向へ光学ピックアップ１６が移動自在に支持されている。光学ピックアップ１６は、移動ベース１７と発光素子や受光素子等を含む所要の光学素子と移動ベース１７上に支持された２軸アクチュエーター１８とを有し、該２軸アクチュエーター１８には対物レンズ１８ａが設けられている。
【００２９】
ベースシャーシ１３には送りモーター１９が取り付けられ、該送りモーター１９によってベースシャーシ１３に支持された図示しないリードスクリューが回転される。光学ピックアップ１６は、移動ベース１７に取り付けられた図示しないナット部材がリードスクリューに螺合されると共に移動ベース１７の他端部がベースシャーシ１３に取り付けられた図示しないガイド軸に摺動自在に支持されている。送りモーター１９の駆動によってリードスクリューが回転されると、その回転方向に応じた方向へ光学ピックアップ１６がガイド軸に案内されて移動される。
【００３０】
モーターユニット２０は、駆動モーター２１と該駆動モーター２１に固定されたディスクテーブル２２とを有している（図４及び図５参照）。
【００３１】
駆動モーター２１はステーター部２３と該ステーター部２３に対して回転されるローター部２４と該ローター部２４と一体となって回転される金属材料により形成されたモーター軸２５とから成る（図５参照）。
【００３２】
ステーター部２３は、ベース２６に取り付けられた基板２７とベース２６に取り付けられたハウジング２８と該ハウジング２８に取り付けられたステーターコイル２９、２９、・・・とを有している。
【００３３】
ベース２６の中央部には取付孔２６ａが形成され、ベース２６上に、所定の配線パターンが形成された基板２７が留め具３０、３０、・・・によって取り付けられている。
【００３４】
基板２７の中央部には、ベース２６の取付孔２６ａより一回り大きな挿入孔２７ａが形成され、基板２７上に、検出素子３１、３１、・・・が周方向に離間して搭載されている。
【００３５】
ハウジング２８は軸方向に長い略円筒状を為し、下端寄りの位置に被取付部２８ａが外方へ突出されて設けられている。ハウジング２８は基板２７の挿入孔２７ａに挿入された状態で被取付部２８ａがベース２６の取付孔２６ａに取り付けられている。
【００３６】
ハウジング２８の下端部にはスラスト受け３２と押さえ板３３とが上下に積層された状態で内嵌状に固定されている。
【００３７】
ハウジング２８の内部には、軸方向に長いメタル軸受３４が固定され、該メタル軸受３４にモーター軸２５が回転自在に支持されている。このようにモーター軸２５が支持された状態においては、その下面がスラスト受け３２によって受けられる。
【００３８】
ステーターコイル２９、２９、・・・は、それぞれその内部に配置された鉄芯３５、３５、・・・を囲むようにして巻回されており、ハウジング２８の外面に周方向に等間隔に取り付けられている。
【００３９】
ローター部２４は、ローターケース３６と該ローターケース３６に取り付けられたマグネット３７とから成る。
【００４０】
ローターケース３６は、板状の金属材料が加工されることにより形成され、略円板状を為す基部３６ａと該基部３６ａの外周縁から垂設されたマグネット取付部３６ｂと基部３６ａの中心部から上方へ突出された円筒状を為す被固定部３６ｃとが一体に形成されて成る。マグネット取付部３６ｂの内面には、マグネット３７が取り付けられている。
【００４１】
ローターケース３６は、被固定部３６ｃにモーター軸２５が圧入されることにより該モーター軸２５に固定されている。ローターケース３６がモーター軸２５に固定された状態においては、モーター軸２５の上端部が被固定部３６ｃから突出され、マグネット３７がステーターコイル２９、２９、・・・に対向して配置されると共にマグネット３７が基板２７上に搭載された検出素子３１、３１、・・・の上側に配置される。ローター部２４が回転されるときに、検出素子３１、３１、・・・によってマグネット３７の回転位置が検出される。
【００４２】
ディスクテーブル２２は、中央部に設けられディスク状記録媒体１００の中心孔１００ａに挿通されるセンターリング突部３８と該センターリング突部３８の下端部周面から張り出されディスク状記録媒体１００の内周縁が載置されるテーブル部３９とが樹脂材料によって一体に形成されて成る。
【００４３】
センターリング突部３８の中央部にはモーター軸２５より径の大きな嵌合孔３８ａが形成され、該嵌合孔３８ａに円筒状を為すヨーク４０が圧入によって固定されている。
【００４４】
テーブル部３９の外周部の上面には、円環状を為すシート４１が貼着されている。
【００４５】
ヨーク４０は、鉄系の焼結材料により形成され、例えば、ＦＣＳ―７（平和産業株式会社の商品名）、ＰＦＡ０１、ＰＦＡ０３、ＰＦＡ０６（何れも、ポーライト株式会社の商品名）、ＦＥ６４、ＦＥ６８（ＮＴＮ特殊合金株式会社の商品名）、ＥＯ（日立粉末冶金株式会社の商品名）が用いられている。ヨーク４０は、チャッキングプーリー支持部材１０に支持された上記チャッキングプーリー１１とディスクテーブル２２とによってディスク状記録媒体１００がチャッキングされるときにチャッキングプーリー１１のマグネットに吸着される被吸着手段としての役割を果たす。
【００４６】
ヨーク４０の中心孔は圧入孔４０ａとして形成され、該圧入孔４０ａにモーター軸２５の上端部が圧入されヨーク４０がモーター軸２５に固定される。
【００４７】
以下に、ディスクドライブ装置１の動作について説明する。
【００４８】
前面パネル４に設けられたトレー動作用釦（操作釦）６が操作されると、ローディング機構８の動作によりディスクトレー９が開口４ａから引き出されディスクトレー９のディスク載置凹部９ｂにディスク状記録媒体１００を載置可能な状態となる。ディスク載置凹部９ｂにディスク状記録媒体１００を載置し、再度、トレー動作用釦６を操作すると、ディスクトレー９が外筐２内に引き込まれる。
【００４９】
次に、例えば、再生用釦（操作釦）６を操作すると、ベースシャーシ１３がベース部材１２の回動動作に伴って回動されてディスクテーブル２２が略上方へ移動され、該ディスクテーブル２２のセンターリング突部３８がディスク状記録媒体１００の中心孔１００ａに挿入される。ベースシャーシ１３の回動により、ディスクテーブル２２と光学ピックアップ１３の２軸アクチュエーター１８はディスクトレー９の挿通孔９ａから稍上方へ突出される。
【００５０】
ディスクテーブル２２が略上方へ移動されていくことによりディスク状記録媒体１００がディスク載置凹部９ｂから稍上方へ離間され、このときチャッキングプーリー１１に設けられたマグネットによってディスクテーブル２２に固定されたヨーク４０が吸着され、ディスク状記録媒体１００がディスクテーブル２２とチャッキングプーリー１１とによって挟持されチャッキングされる。
【００５１】
ディスク状記録媒体１００に対するチャッキングが完了すると、駆動モーター２１の駆動によるディスクテーブル２２の回転に伴ってディスク状記録媒体１００が回転される。同時に、ガイド軸に案内されて光学ピックアップ１６がディスク状記録媒体１００の内周側から外周側へ移動される。このとき光学ピックアップ１６の発光素子からディスク状記録媒体１００へ向けてレーザー光が出射され、出射されたレーザー光は対物レンズ１８ａを介してディスク状記録媒体１００に照射され、照射されたレーザー光がディスク状記録媒体１００で反射されて戻り光として光学ピックアップ１６の受光素子に入射され、図示しない信号処理回路によって信号処理されて情報信号の再生が為される。
【００５２】
停止用釦（操作釦）６が操作されると、駆動モーター２１の回転が停止されると共に光学ピックアップ１６の駆動が停止されて再生動作が終了し、ベース部材１２とともにベースシャーシ１３が先程とは反対方向へ回動されていく。
【００５３】
ベースシャーシ１３の回動によりディスク状記録媒体１００に対するチャッキングが解除されてディスク状記録媒体１００がディスク載置凹部９ｂに載置され、ベースシャーシ１３がディスクトレー９の下方に位置される。
【００５４】
再び、前面パネル４に設けられたトレー動作用釦６が操作されると、ディスクトレー９が開口４ａから引き出され、ディスク載置凹部９ｂに載置されているディスク状記録媒体１００の取出が可能となる。ディスク載置凹部９ｂからディスク状記録媒体１００を取り出し、再度、トレー動作用釦６を操作すると、ディスクトレー９が外筐２内に引き込まれる。
【００５５】
以上に記載した通り、ディスクドライブ装置１にあっては、ディスクテーブル２２に鉄系の焼結材料により形成されたヨーク４０が圧入され固定されている。
【００５６】
焼結材料には、ポーラスと称される微小の空隙４０ｂ、４０ｂ、・・・が形成されるが、ヨーク４０がディスクテーブル２２の嵌合孔３８ａに圧入されると、樹脂材料によって形成されたディスクテーブル２２に生じた応力を低下させようとして樹脂材料の一部がヨーク４０の表面に形成された空隙４０ｂ、４０ｂ、・・・に倣うようにして入り込むため（図６参照）、ディスクテーブル２２とヨーク４０との間で大きな締結力が得られる。
【００５７】
また、ともに金属材料により形成されたヨーク４０とモーター軸２５とが圧入によって固定されるため、ヨーク４０とモーター軸２５との間でも大きな締結力が得られる。
【００５８】
従って、ディスクテーブル２２がヨーク４０を介してモーター軸２５に強固に固定され、ディスク状記録媒体１００に対する情報信号の記録時又は再生時に締結力不足による光学ピックアップのフォーカスエラーが生じるようなことがなく、ディスクドライブ装置１の動作の信頼性を確保することができる。
【００５９】
また、上記のように、圧入によってモーター軸２５に強固に固定されたヨーク４０にディスクテーブル２２が固定されるため、ディスクテーブル２２のテーブル部３９にディスク状記録媒体１００が装着された状態においてディスクテーブル２２がディスク状記録媒体１００から荷重を受けるときに、図７に示すように、モーメントの支点Ｑがヨーク４０とディスクテーブル２２の結合点となり、ディスク状記録媒体１００の荷重点（作用点）Ｐから支点Ｑまでの距離Ｌ２が、荷重点Ｐからモーター軸２５とヨーク４０との結合点までの距離より短くなる。
【００６０】
従って、その分、ディスク状記録媒体１００の荷重によって生じるモーメントが小さくなり、モーター軸２５がディスク状記録媒体１００によるたわみ荷重の影響を受け難く、ディスクドライブ装置１の動作の適正化を図ることができる。
【００６１】
さらに、ディスクテーブル２２のセンターリング突部３８の軸方向における長さ分の全体がヨーク４０を介してモーター軸２５に固定されるため、従来のディスクドライブ装置のように圧入面積を大きくするための補強用突部を設ける必要がなく、その分、省スペース化によるモーターユニット２０及びディスクドライブ装置１の小型化を図ることができる。
【００６２】
図８は、ディスクテーブル２２側に、ディスク状記録媒体１００のチャッキング時に用いる吸着用マグネット４２を設けた例を示すものである。
【００６３】
ディスクテーブル２２の嵌合孔３８ａには、その下側の略半分にヨーク４３が圧入によって固定され、該ヨーク４３はモーター軸２５に圧入によって固定されている。嵌合孔３８ａの上側半分には、円筒状を為す吸着用マグネット４２が配置されている。吸着用マグネット４２は、ディスクテーブル２２及びモーター軸２５には固定されておらず、例えば、ヨーク４３に接着によって固定されている。
【００６４】
この場合には、ヨーク４３が吸着用マグネット４２の磁力を増強するための所謂バックヨークとして機能する。
【００６５】
吸着用マグネット４２を設ける場合には、チャッキングプーリー１１には、マグネットに代えて磁性金属板を設け、ディスク状記録媒体１００のチャッキング時には、チャッキングプーリー１１の磁性金属板が吸着用マグネット４２によって吸着される。
【００６６】
このように、ディスクテーブル２２に吸着用マグネット４２を設け、チャッキングプーリー１１に磁性金属板を設ける場合にも、ディスクテーブル２２がヨーク４３を介してモーター軸２５に強固に固定される。
【００６７】
図９は、ヨークにローターケースを固定するためのケース固定部を設けた例を示すものである。
【００６８】
ディスクテーブル２２にはヨーク４４が圧入されており、該ヨーク４４は下端部が嵌合孔３８ａから下方へ突出されている。ヨーク４４の下面には、周方向に延びるケース固定部４４ａが一体に設けられ、該ケース固定部４４ａにローターケース４５が、例えば、カシメや接着によって固定されている。
【００６９】
ローターケース４５は上記ローターケース３６と異なり、基部４５ａとマグネット取付部４５ｂとが一体に形成されて成り、被固定部は設けられていない。ローターケース４５は基部４５ａの内周部がヨーク４４に固定されており、基部４５ａの内周部の上面４５ｃの他に側面４５ｄもヨーク４４に接触された状態で固定される。従って、ローターケース４５のヨーク４４に対する固定面の面積が大きくなる。
【００７０】
このように、ケース固定部４４ａをヨーク４４に一体に設けることにより、部品点数の増加を伴わずに、ローターケース４５のヨーク４４に対する固定面の面積を大きくすることができ、モーターユニット２０の機械的強度を強くすることができる。
【００７１】
また、さらにローターケース４５の固定面の面積を大きくしてモーターユニット２０の機械的強度を一層強くするために、ケース固定部４４ａに加えて、図１０に示すように、下端部をディスクテーブル２２側に突出させてケース固定部４４ｂをも設けたヨーク４４Ａを用いることもできる。
【００７２】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００７３】
【発明の効果】
以上に記載したところから明らかなように、本発明モーターユニットは、ローターケースと該ローターケースに固定されたマグネットとを有するローター部と、該ローター部のマグネットに対向して配置された複数のステーターコイルを有するステーター部と、ローター部と一体となって回転されるモーター軸と、鉄系の焼結材料によって形成されると共に圧入によってモーター軸に固定されるヨークと、樹脂材料によって形成されるディスクテーブルとを備え、上記ヨークが上記ディスクテーブルのセンターリング突部の軸方向における全体に圧入され、上記ディスクテーブルがヨークに外嵌状に固定され、上記ヨークに周方向に延在する第１のケース固定部と下端部を上記ディスクテーブル側に突出させてなる第２のケース固定部とを一体に設け、上記第１のケース固定部及び上記第２のケース固定部にローターケースを固定したことを特徴とする。
【００７４】
従って、ヨークとディスクテーブルの間では、樹脂材料によって形成されたディスクテーブルが焼結材料によって形成されたポーラスと称される空隙に倣うようにして入り込むため大きな締結力が得られ、ヨークとモーター軸との間では、ともに金属材料により形成されたヨークとモーター軸とが圧入によって固定されるため大きな締結力が得られ、これによりディスクテーブルがヨークを介してモーター軸に強固に固定されることから、モーターユニットの機械的強度の大幅な向上を図ることができる。
【００７５】
また、ディスクテーブルにディスク状記録媒体が装着されたときに、ディスクテーブルにおけるディスク状記録媒体の荷重点から支点までの距離が短くなるため、ディスク状記録媒体の荷重によって生じるモーメントが小さくなり、モーター軸がディスク状記録媒体によるたわみ荷重の影響を受け難く、モーターユニットの動作の適正化を図ることができる。
また、ディスクテーブルのセンターリング突部の軸方向における全体にヨークを圧入したので、圧入面積を大きくするための補強用突部を設ける必要がなく、その分、省スペース化によるモーターユニットの小型化を図ることができる。
また、上記ヨークに各ケース固定部を一体に設け、該各ケース固定部にローターケースを固定したので、部品点数の増加を伴わずにローターケースのヨークに対する固定面の面積を大きくすることができ、モーターユニットの機械的強度を強くすることができる。
【００７８】
また、本発明ディスクドライブ装置は、樹脂材料によって形成されると共にディスク状記録媒体が装着されて回転されるディスクテーブルと、該ディスクテーブルとともにディスク状記録媒体を挟持してチャッキングするチャッキングプーリーと、チャッキングされたディスク状記録媒体の半径方向へ移動し該ディスク状記録媒体に対してレーザー光を照射する光学ピックアップと、ディスクテーブルを回転させる駆動モーターとを備えたディスクドライブ装置であって、該駆動モータには、マグネットが固定されたローターケースを有するローター部と、該ローター部のマグネットに対向して配置された複数のステーターコイルを有するステーター部と、ローター部と一体となって回転されるモーター軸とが設けられ、鉄系の焼結材料によって形成されたヨークをモーター軸に圧入によって固定し、上記ヨークが上記ディスクテーブルのセンターリング突部の軸方向における全体に圧入され、上記ディスクテーブルがヨークに外嵌状に固定され、上記ヨークに周方向に延在する第１のケース固定部と下端部を上記ディスクテーブル側に突出させてなる第２のケース固定部とを一体に設け、上記第１のケース固定部及び上記第２のケース固定部にローターケースを固定したことを特徴とする。
【００７９】
従って、ヨークとディスクテーブルの間では、樹脂材料によって形成されたディスクテーブルが焼結材料によって形成されたポーラスと称される空隙に倣うようにして入り込むため大きな締結力が得られ、ヨークとモーター軸との間では、ともに金属材料により形成されたヨークとモーター軸とが圧入によって固定されるため大きな締結力が得られ、これによりディスクテーブルがヨークを介してモーター軸に強固に固定されることから、ディスク状記録媒体に対する情報信号の記録時又は再生時に締結力不足による光学ピックアップのフォーカスエラーが生じるようなことがなく、ディスクドライブ装置の動作の信頼性を確保することができる。
【００８０】
また、ディスクテーブルにディスク状記録媒体が装着されたときに、ディスクテーブルにおけるディスク状記録媒体の荷重点から支点までの距離が短くなるため、ディスク状記録媒体の荷重によって生じるモーメントが小さくなり、モーター軸がディスク状記録媒体によるたわみ荷重の影響を受け難く、ディスクドライブ装置の動作の適正化を図ることができる。
また、ディスクテーブルのセンターリング突部の軸方向における全体にヨークを圧入したので、圧入面積を大きくするための補強用突部を設ける必要がなく、その分、省スペース化による駆動モーターの小型化及びこれによるディスクドライブ装置の小型化を図ることができる。
また、上記ヨークに各ケース固定部を一体に設け、該各ケース固定部にローターケースを固定したので、部品点数の増加を伴わずにローターケースのヨークに対する固定面の面積を大きくすることができ、駆動モーターの機械的強度の向上によるディスクドライブ装置の動作の適正化を図ることができる。
【図面の簡単な説明】
【図１】図２乃至図１０と共に本発明の実施の形態を示すものであり、本図はディスクドライブ装置の概略斜視図である。
【図２】各機構が配置されたメカフレームとディスクトレーとを示す概略分解斜視図である。
【図３】カバー体を分離して内部構成を示すディスクドライブ装置の概略斜視図である。
【図４】ベースシャーシと光学ピックアップとモーターユニットとを示す拡大斜視図である。
【図５】モーターユニットの拡大断面図である。
【図６】ディスクテーブルとヨークとの結合状態を拡大して示す概念図である。
【図７】要部の構成を示すモーターユニットの概略断面図である。
【図８】吸着用マグネットが設けられたモーターユニットの概略断面図である。
【図９】ケース固定部が設けられたモーターユニットの概略断面図である。
【図１０】ディスクテーブル側に突出されたケース固定部が設けられたモーターユニットの概略断面図である。
【図１１】従来のモーターユニットの概略断面図である。
【符号の説明】
１…ディスクドライブ装置、１１…チャッキングプーリー、１３…ベースシャーシ、１６…光学ピックアップ、２０…モーターユニット、２１…駆動モーター、２２…ディスクテーブル、２３…ステーター部、２４…ローター部、２５…モーター軸、２９…ステーターコイル、３６…ローターケース、３７…マグネット、３８…センターリング突部、４０…ヨーク、４３…ヨーク、４４…ヨーク、４４ａ…ケース固定部、４４ｂ…ケース固定部、４５…ローターケース、４４Ａ…ヨーク、１００…ディスク状記録媒体
【図１】
0004655178.tif 000002
【図２】
0004655178.tif 000003
【図３】
0004655178.tif 000004
【図４】
0004655178.tif 000005
【図５】
0004655178.tif 000006
【図６】
0004655178.tif 000007
【図７】
0004655178.tif 000008
【図８】
0004655178.tif 000009
【図９】
0004655178.tif 000010
【図１０】
0004655178.tif 000011
【図１１】
0004655178.tif 000012